(57)【要約】【課題】小型で受信感度の良い車載用交換アンテナ１０を提供すること。【解決手段】車体２０に設けられたボス２１のネジ穴２２に着脱可能にネジ付けられた純正ポールアンテナと交換して車体に装着する車載用交換アンテナ１０であって、複数本のヘリカルアンテナ素子１４，１５を備え、各ヘリカルアンテナ素子１４，１５同士を並列に配置するとともに、並列接続又は直列接続する。各ヘリカルアンテナ素子１４，１５を内蔵した複数本のポール１２，１３と、ボス２１のネジ穴２２に着脱可能にネジ付けることができる取付部１１を備え、各ポール１２，１３が取付部１１から互いに並列に延伸するように取付部１１に設ける。【選択図】図１
2014136502.tif 000002
【特許請求の範囲】
【請求項１】
車体に設けられたボスのネジ穴に着脱可能にネジ付けられた純正ポールアンテナと交換して車体に装着する車載用交換アンテナであって、
複数本のヘリカルアンテナ素子を備え、各ヘリカルアンテナ素子同士を並列に配置するとともに、並列接続又は直列接続したことを特徴とする車載用交換アンテナ。
【請求項２】
前記各ヘリカルアンテナ素子を内蔵した複数本のポールと、前記ボスのネジ穴に着脱可能にネジ付けることができる取付部を備え、前記各ポールが前記取付部から互いに並列に延伸するように前記取付部に設けたことを特徴とする請求項１に記載の車載用交換アンテナ。
【請求項３】
前部が底面に向かって先細りとなる外観を有するとともに、上面に前後方向に並列して延びる複数本のフィンが凸設され、底面に形成した開口を前記ボスに被せて車体に固定可能なケーシングを備え、
前記各フィンに前記各ヘリカルアンテナ素子を内蔵したことを特徴とする請求項１に記載の車載用交換アンテナ。
【請求項４】
前記複数本のヘリカルアンテナ素子のうち、一のヘリカルアンテナ素子と他のヘリカルアンテナ素子の線径、巻回数、巻回ピッチ、コイルリング径又はコイルリング長を異ならしめたことを特徴とする請求項１に記載の車載用交換アンテナ。
【請求項５】
前記各ヘリカルアンテナ素子のコイルリングの内側に静電気誘導体から成る樹脂製ロッドを装着するとともに、一のロッドと他のロッドの材質、寸法又は形状を異ならしめたことを特徴とする請求項１に記載の車載用交換アンテナ。
【発明の詳細な説明】
【技術分野】
【０００１】
本発明は車載用交換アンテナに関する。
【背景技術】
【０００２】
車載用アンテナの一形式として、特開２０１２−１６９８９２号及び特開２０１１−２２８７６７号公報には、円柱状の樹脂製ロッドに螺旋状に巻回したヘリカルアンテナ素子を内蔵した一本のポールを備えた車載用ポールアンテナが開示されている。この種の車載用ポールアンテナは、ポールの基端部に設けた取付部を車両のループに設けられているポールアンテナ取付用ボスのネジ穴にネジ込んで着脱可能にルーフに装着される。
【先行技術文献】
【特許文献】
【０００３】
【特許文献１】特開２０１２−１６９８９２号公報
【特許文献２】特開２０１１−２２８７６７号公報
【発明の概要】
【発明が解決しようとする課題】
【０００４】
上記した従来の車載用ポールアンテナは、アンテナ素子として、螺旋状に巻回したヘリカルアンテナ素子を用いているので、アンテナ実効長に比べてアンテナの物理的な長さを短くでき、アンテナの小型化が可能となる。そのため、車両用アンテナに適している。
しかしながら、この種の車載用ポールアンテナは概して限られた狭い周波数帯域しかカバーできず、また、ＡＭ帯域に対してアンテナ実効長が極めて短いため、充分な受信感度を得にくい。
本発明は係る問題点に鑑み、小型で受信感度の良い車載用交換アンテナを提供することを目的とする。
【課題を解決するための手段】
【０００５】
請求項１に記載の発明は、車体に設けられたボスのネジ穴に着脱可能にネジ付けられた純正ポールアンテナと交換して車体に装着する車載用交換アンテナであって、
複数本のヘリカルアンテナ素子を備え、各ヘリカルアンテナ素子同士を並列に配置するとともに、並列接続又は直列接続したことを特徴とする。
【０００６】
請求項２に記載の発明は、請求項１に記載の車載用交換アンテナにおいて、前記各ヘリカルアンテナ素子を内蔵した複数本のポールと、前記ボスのネジ穴に着脱可能にネジ付けることができる取付部を備え、前記各ポールが前記取付部から互いに並列に延伸するように前記取付部に設けたことを特徴とする。
【０００７】
請求項３に記載の発明は、請求項１に記載の車載用交換アンテナにおいて、前部が底面に向かって先細りとなる外観を有するとともに、上面に前後方向に並列して延びる複数本のフィンが凸設され、底面に形成した開口を前記ボスに被せて車体に固定可能なケーシングを備え、
前記各フィンに前記各ヘリカルアンテナ素子を内蔵したことを特徴とする。
【０００８】
請求項４に記載の発明は、請求項１に記載の車載用交換アンテナにおいて、前記複数本のヘリカルアンテナ素子のうち、一のヘリカルアンテナ素子と他のヘリカルアンテナ素子の線径、巻回数、巻回ピッチ、コイルリング径又はコイルリング長を異ならしめたことを特徴とする。
【０００９】
請求項５に記載の発明は、請求項１に記載の車載用交換アンテナにおいて、前記各ヘリカルアンテナ素子のコイルリングの内側に静電気誘導体から成る樹脂製ロッドを装着するとともに、一のロッドと他のロッドの材質、寸法又は形状を異ならしめたことを特徴とする。
【発明の効果】
【００１０】
請求項１に記載の発明によれば、各ヘリカルアンテナ素子を並列接続する場合、並列接続した各ヘリカルアンテナ素子の受信特性を異ならしめることにより、カバーできる周波数帯域を広げることができる。
また、各ヘリカルアンテナ素子を直列接続する場合、アンテナ実効長を長くできるので、受信感度を向上させることができる。
【００１１】
請求項２に記載の発明によれば、ヘリカルアンテナ素子を内蔵した複数本のポールが取付部から並列に延伸するように設けたので、車載用アンテナとしての物理的な長さを短くして小型化できる。
【００１２】
請求項３に記載の発明によれば、ケーシングは前部が底面に向かって先細りとなる外観を有するので、洗車機や立体駐車場に車両を入れるとき、ケーシングが破損したり、曲がるおそれがないので、車載用ポールアンテナのように洗車機や立体駐車場に車両を入れるときに取り外す煩わしさから開放される。
【００１３】
請求項４に記載の発明によれば、一のヘリカルアンテナ素子と他のヘリカルアンテナ素子の線径、巻回数、巻回ピッチ、コイルリング径又はコイルリング長を異ならしめたので、各ヘリカルアンテナ素子の受信特性が異なり、カバーできる周波数帯域を広げることができる。
【００１４】
請求項５に記載の発明によれば、一のロッドと他のロッドの材質、寸法又は形状を異ならしめたので、各ヘリカルアンテナ素子の受信特性が異なり、カバーできる周波数帯域を広げることができる。
【図面の簡単な説明】
【００１５】
【図１】本発明の第１実施例に係る車載用交換アンテナを示す説明図である。
【図２】本発明の第２実施例に係る車載用交換アンテナを示す説明図である。
【図３】本発明の第３実施例に係る車載用交換アンテナを示す説明図である。
【図４】本発明の第４実施例に係る車載用交換アンテナを示す説明図である。
【図５】本発明の第５実施例に係る車載用交換アンテナを示す説明図である。
【実施例１】
【００１６】
以下に本発明を図面に基づき説明する。図１には本発明の第１実施例に係る車載用交換アンテナ１０が示されている。当該車載用交換アンテナ１０は導電金属製のボルトから成る取付部１１と、２本の合成樹脂製の中空ポール１２，１３を備え、２本のポール１２，１３が取付部１１から二股状に延伸している。各ポール１２，１３にはヘリカルアンテナ素子１４，１５とアクリル樹脂製のロッド１６，１７が内蔵されている。各ロッド１６，１７は円形の断面形状を有し、ロッド１６，１７にヘリカルアンテナ素子１４，１５が螺旋状に巻回されている。これら２本のヘリカルアンテナ素子１４，１５はリード線１８ａ，１８ｂで電気的に並列接続されている。そして、一方のヘリカルアンテナ素子１４と他方のヘリカルアンテナ素子１５は、線径、巻回数、巻回ピッチ、コイルリング径又はコイルリング長が異なるように設定されている。
【００１７】
第１実施例に係る車載用交換アンテナ１０の構造は以上の通りであって、車体のルーフ２０に設けられたボス２１に埋設された導電金属製のネジ穴２２に着脱可能にネジ付けられている純正ポールアンテナ（図示せず）を取り外し、ネジ穴２２に取付部１１をねじ込んでルーフ２０に装着される。ボス２１にはネジ穴２２に連通する通孔２３が形成されており、リード線１８ｃが通孔２３を通してネジ穴２２に接続されている。取付部１１をネジ穴２２に装着することにより、ヘリカルアンテナ素子１４，１５と車内のオーディオ機器がリード線１８ａ，１８ｂ，１８ｃを介して接続される。
【００１８】
第１実施例に係る車載用交換アンテナ１０によれば、並列接続した一方のヘリカルアンテナ素子１４と他方のヘリカルアンテナ素子１５は、線径、巻回数、巻回ピッチ、コイルリング径又はコイルリング長が異なるため、受信特性が異なる。そのため、カバーできる周波数帯域を広げることができる。
【００１９】
また、ヘリカルアンテナ素子１４，１５を内蔵した複数本のポール１２，１３が取付部１１から並列に延伸するように設けたので、車載用アンテナ１０としての物理的な長さを短くして小型化できる。
【実施例２】
【００２０】
本発明の第２実施例に係る車載用交換アンテナ３０を図２に示す。当該車載用交換アンテナ３０の２本のヘリカルアンテナ素子１４，１５はリード線１８ｄで直列接続されるとともに、直列接続されたヘリカルアンテナ素子１４，１５がリード線１８ｅで取付部１１に接続されている。
なお、第２実施例に係る車載用交換アンテナ３０の他の構成は第１実施例に係る車載用交換アンテナ１０と同じであるので、同一の構成要素に同一の符号を付して説明を省略する。
【００２１】
第２実施例に係る車載用交換アンテナ３０によれば、各ヘリカルアンテナ素子１４，１５を直列接続したので、アンテナ実効長が長くなり、受信感度を向上させることができる。
【実施例３】
【００２２】
本発明の第３実施例に係る車載用交換アンテナ４０を図３に示す。当該車載用交換アンテナ４０では、取付部４１から３本のポール４２，４３，４４が三叉状に延伸し、各ポール４２，４３，４４にヘリカルアンテナ素子４５，４６，４７とロッド４８，４９，５０が内蔵され、各ヘリカルアンテナ素子４５，４６，４７がリード線５１ａ，５１ｂ，５１ｃで互いに並列接続されている。
なお、第３実施例に係る車載用交換アンテナ４０の他の構成は第１実施例に係る車載用交換アンテナ１０と同じであるので、同一の構成要素に同一の符号を付して説明を省略する。
【００２３】
第３実施例に係る車載用交換アンテナ４０によれば、並列接続した３本のヘリカルアンテナ素子４５，４６，４７の線径、巻回数、巻回ピッチ、コイルリング径又はコイルリング長を互いに異ならしめることにより、カバーできる周波数帯域をより広げることができる。
【実施例４】
【００２４】
本発明の第４実施例に係る車載用交換アンテナ６０を図４に示す。当該車載用交換アンテナ６０は樹脂成型品のケーシング６１を備えている。このケーシング６１は前部６１ａが底面６１ｃに向かって先細りとなる外観を有し、ケーシング６１の上面には、前後方向に並列して延びる２本のフィン６１ｄ，６１ｅが凸設されている。また、ケーシング６１の底面６１ｃには開口６１ｆが形成され、開口の６１ｆ近辺に両面接着テープ６１ｇ，６１ｈが貼着されている。そして、各フィン６１ｄ，６１ｅにはヘリカルアンテナ素子６２，６３がフィン６１ｄ，６１ｅの内面に沿って配置され、各ヘリカルアンテナ素子６２，６３がリード線６４ａ，６４ｂで互いに並列接続されている。リード線６４ａ，６４ｂは丸型端子６５に接続されている。
【００２５】
第４実施例に係る車載用交換アンテナ６０の構造は以上の通りであって、丸型端子６５をビス６６でボス２１のネジ穴２２に固定することにより各ヘリカルアンテナ素子６２，６３がリード線６４ａ，６４ｂ，６４ｃを介して車内のオーディオ機器に接続される。ケーシング６１の底面６１ｃの開口６１ｆをボス２１に被せ、両面接着テープ６１ｇ，６１ｈで車体のルーフ２０に固定する。
【００２６】
第４実施例に係る車載用交換アンテナ６０によれば、ヘリカルアンテナ素子６２，６３を内蔵したケーシング６１が前部６１ａを底面６１ｃに向かって先細りとなる外観を有するので、洗車機や立体駐車場に車両を入れるとき、ケーシング６１が破損したり、曲がるおそれがない。そのため、車載用ポールアンテナのように洗車機や立体駐車場に車両を入れるときに取り外す煩わしさから開放される。
【実施例５】
【００２７】
本発明の第５実施例に係る車載用交換アンテナ７０を図５に示す。当該車載用交換アンテナ７０のヘリカルアンテナ素子６２，６３はリード線６４ｄで互いに直列接続され、直列接続されたヘリカルアンテナ素子６２，６３がリード線６４ｅと丸型端子６５及びビス６６でネジ穴２２に接続される。
なお、第５実施例に係る車載用交換アンテナ７０の他の構成は第４実施例に係る車載用交換アンテナ６０と同じであるので、同一の構成要素に同一の符号を付して説明を省略する。
第５実施例に係る車載用交換アンテナ７０によれば、各ヘリカルアンテナ素子６２，６３を直列接続したので、アンテナ実効長が長くなり、受信感度を向上させることができる。
【００２８】
なお、第１、第２、第３実施例に係る車載用交換アンテナ１０，３０，４０におけるロッド１６，１７，４８，４９，５０の材質にアクリル樹脂製を採用したが、ロッドの材質としては他の静電気誘導体から成る樹脂製ロッド、例えば、ポリカーポネート、ポリエチレン、ポリプロピレン、ポリスチレン、ＡＳ樹脂、ＡＢＳ樹脂、メタクリル、ポリ塩化ビニール、ポリアセタール、ポリアミド（ナイロン）、ポリカーボネート、ポリウレタン、フェノール樹脂、ベークライト等を使用できる。
また、ロッド１６，１７，４８，４９，５０の材質、断面形状、寸法等を互いに異ならしめることにより、ヘリカルアンテナ素子１４，１５，４５，４６，４７の受信特性を変えることができる。
【符号の説明】
【００２９】
１０，３０，４０，６０，７０…車載用交換アンテナ
１１，４１…取付部
１２，１３，４２，４３，４４…ポール
１４，１５，４５，４６，４７，６２，６３…ヘリカルアンテナ素子
１６，１７，４８，４９，５０…ロッド
２０…ルーフ
２１…ボス
２２…ネジ穴
２３…通孔
６１…ケーシング
６１ａ…前部
６１ｃ…底面
６１ｄ，６１ｅ…フィン
６１ｆ…開口
６１ｇ，６１ｈ…両面接着テープ
【図１】
2014136502.tif 000003
【図２】
2014136502.tif 000004
【図３】
2014136502.tif 000005
【図４】
2014136502.tif 000006
【図５】
2014136502.tif 000007